(57)【要約】【課題】容器体口頸部へ嵌合させた、蓋体付きキャップの開蓋操作が容易であるよう設けた。【解決手段】キャップ本体１１の内筒１４を容器体口頸部４へ嵌合させ、該キャップ本体の内筒１４と外筒１５との間へ介装させた操作筒３１の左右両部から外筒１５外方へ露出させた押釦３２、３２を押込みすると、容器体口頸部下方に付形したテーパ面５に沿って操作筒３１が上昇し、該上昇で操作筒前部からキャップ本体頂板を挿通して起立する押上げ板３４が、キャップ本体後部へヒンジ連結されてキャップ本体上面を閉塞する蓋体２１を押上げて開蓋できるよう設けた。【選択図】図３
2004359239.tif 000002
【特許請求の範囲】
【請求項１】
口頸部４を起立する容器体１と、
上記口頸部へ嵌合させた内筒１４と該内筒を囲む外筒１５とを注出孔１２ａ付き頂板１３外周から垂下し、外筒上端部を上向き段部１６を介して小外径部１７としたキャップ本体１１と、
上記注出孔密閉部を下面に有する頂壁２３外周から周壁２４を垂下させた蓋体２１とを有し、
上記キャップ本体と蓋体とを各後部でヒンジ連結したキャップ付き容器において、
上記キャップ本体外筒１５の左右両部と、頂板１３の左右両部と、頂板の前部とへ第１、第２、第３窓孔１８、１９、２０を穿設し、外筒１５内へ遊挿させた弾性の操作筒３１の左右外面から第１窓孔１８内へ嵌入させて押釦３２を、左右両部上面から第２窓孔１９へ挿通させてフック３３、３３を、前部上面から第３窓孔２０へ挿通させて押上げ板３４を、それぞれ突出させて、フック上端の爪３３ａ、３３ａを蓋体周壁２４内面の左右両部に穿設した係止部２７、２７へ係合させ、
又操作筒３１下端面を容器体口頸部４下方のテーパ面５上へ位置させ、両押釦３２、３２内方押込みで爪３３ａ、３３ａが係止部２７、２７から外れ、かつ操作筒３１下端面がテーパ面５に沿ってせり上がることで、押上げ板３４が蓋体前部を押上げ可能に形成した
ことを特徴とするキャップ付き容器。
【請求項２】
上記キャップ本体頂板１３の後部へ第３窓孔２０を穿設し、該第３窓孔に通して弾性操作筒３１の後部上面から後方押上げ板３４を起立させ、
上記両押釦押込みによる弾性操作筒の上昇で、前方押上げ板による蓋体前部の押上げに続いて後方押上げ板３４が蓋体後部下面を突上げ可能に形成した
ことを特徴とする請求項１記載のキャップ付き容器。
【請求項３】
口頸部４を起立する容器体１と、
上記口頸部外面へ嵌合させた内筒１４と該内筒を囲む外筒１５とを注出孔１２ａ付き頂板１３外周から垂下し、外筒上端部を上向き段部１６を介して小外径部１７としたキャップ本体１１と、
上記流出孔密閉部を下面に有する頂壁２３外周から周壁２４を垂下させた蓋体とを有し、
上記キャップ本体と蓋体とを各後部でヒンジ連結したキャップ付き容器において、
上記キャップ本体外筒１５の前後両部と、頂板の前部および左右へ、第１、第２、第３窓孔１８、１９、２０を穿設し、外筒１５内へ遊挿させた弾性の操作筒３１の前後両面から第１窓孔１８内へ嵌入させて押釦３２、３２を、かつ前面から第２窓孔１９へ挿通させてフック３３を、左右両面から第３窓孔２０、２０へ挿通させて押上げ板３４、３４を、それぞれ突出させて、フック上端外面の爪３３ａを蓋体周壁の前部内面に穿設した係止部２７へ係合させ、
又操作筒３１下端面を容器体口頸部下方のテーパ面５上へ位置させ、両押釦３２、３２内方押込みで爪３３ａが係止部２７から外れ、かつ操作筒３１下端面がテーパ面５に沿ってせり上がることで、押上げ板３４、３４が蓋体前部を押上げ可能に形成した
ことを特徴とする、キャップ付き容器。
【発明の詳細な説明】
【０００１】
【発明の属する技術分野】
本発明はキャップ付き容器に関する。
【０００２】
【従来の技術】
口頸部を起立する容器体と、その口頸部へ嵌合させたキャップとからなり、該キャップは、
小ノズルを起立する頂板から容器体口頸部外面へ嵌合させた内筒と該内筒を囲む外筒とを垂下し、該外筒上端部を小外径筒部とするキャップ本体と、上記小ノズル外面へ嵌合して密閉する小筒部を下面に有する頂壁外周から周壁を垂下して、該周壁下端部を上記小外径筒部へ嵌合させた蓋体とを、各後部でヒンジ連結し、該ヒンジを中心とする回動で蓋体の開閉が自在とし、又容器体外筒の左右両上半部を外筒から切離して弾性板に形成し、これ等弾性板を内方へ押込むと蓋体頂壁の裏面から垂下させた突部の斜面へ弾性板上端から延長された先端部が圧接して、突部を介して蓋体前部を押上げするよう設けたキャップ付き容器が知られている（特許文献１）。
【０００３】
【特許文献１】
特許第３２７３３５９号公報
【０００４】
【発明が解決しようとする課題】
本発明も、上記のようなキャップを容器体口頸部へ嵌合させた容器に関するものであり、キャップ蓋体の開蓋操作が容易としたものである。
【０００５】
【課題を解決するための手段】
第１の手段として口頸部４を起立する容器体１と、
上記口頸部へ嵌合させた内筒１４と該内筒を囲む外筒１５とを注出孔１２ａ付き頂板１３外周から垂下し、外筒上端部を上向き段部１６を介して小外径部１７としたキャップ本体１１と、
上記注出孔密閉部を下面に有する頂壁２３外周から周壁２４を垂下させた蓋体２１とを有し、
上記キャップ本体と蓋体とを各後部でヒンジ連結したキャップ付き容器において、
上記キャップ本体外筒１５の左右両部と、頂板１３の左右両部と、頂板の前部とへ第１、第２、第３窓孔１８、１９、２０を穿設し、外筒１５内へ遊挿させた弾性の操作筒３１の左右外面から第１窓孔１８内へ嵌入させて押釦３２を、左右両部上面から第２窓孔１９へ挿通させてフック３３、３３を、前部上面から第３窓孔２０へ挿通させて押上げ板３４を、それぞれ突出させて、フック上端の爪３３ａ、３３ａを蓋体周壁２４内面の左右両部に穿設した係止部２７、２７へ係合させ、
又操作筒３１下端面を容器体口頸部４下方のテーパ面５上へ位置させ、両押釦３２、３２内方押込みで爪３３ａ、３３ａが係止部２７、２７から外れ、かつ操作筒３１下端面がテーパ面５に沿ってせり上がることで、押上げ板３４が蓋体前部を押上げ可能に形成した。
【０００６】
第２の手段として上記第１の手段を有すると共に、上記キャップ本体頂板１３の後部へ第３窓孔２０を穿設し、該第３窓孔に通して弾性操作筒３１の後部上面から後方押上げ板３４を起立させ、
上記両押釦押込みによる弾性操作筒の上昇で、前方押上げ板による蓋体前部の押上げに続いて後方押上げ板３４が蓋体後部下面を突上げ可能に形成した。
【０００７】
第３の手段として口頸部４を起立する容器体１と、
上記口頸部外面へ嵌合させた内筒１４と該内筒を囲む外筒１５とを注出孔１２ａ付き頂板１３外周から垂下し、外筒上端部を上向き段部１６を介して小外径部１７としたキャップ本体１１と、
上記流出孔密閉部を下面に有する頂壁２３外周から周壁２４を垂下させた蓋体とを有し、
上記キャップ本体と蓋体とを各後部でヒンジ連結したキャップ付き容器において、
上記キャップ本体外筒１５の前後両部と、頂板の前部および左右へ、第１、第２、第３窓孔１８、１９、２０を穿設し、外筒１５内へ遊挿させた弾性の操作筒３１の前後両面から第１窓孔１８内へ嵌入させて押釦３２、３２を、かつ前面から第２窓孔１９へ挿通させてフック３３を、左右両面から第３窓孔２０、２０へ挿通させて押上げ板３４、３４を、それぞれ突出させて、フック上端外面の爪３３ａを蓋体周壁の前部内面に穿設した係止部２７へ係合させ、
又操作筒３１下端面を容器体口頸部下方のテーパ面５上へ位置させ、両押釦３２、３２内方押込みで爪３３ａが係止部２７から外れ、かつ操作筒３１下端面がテーパ面５に沿ってせり上がることで、押上げ板３４、３４が蓋体前部を押上げ可能に形成した。
【０００８】
【発明の実施の形態】
以下図面について説明する。まず図１から図４が示す第１実施形態について説明すると、１は胴部２上端から肩部３を介して口頸部４を起立する容器体である。該容器体の胴部は弾性圧搾可能に形成している。肩部３は、図３が示すように口頸部４下端に続く内方部分を下方大径のテーパ面５とし、かつ該テーパ面下端から下方へ垂下する縦筒部６を介して肩部の外周部を連続させている。口頸部４は下部外面へ突条を周設しているが、雄ねじ筒としてもよい。
【０００９】
１１はキャップ本体で、該キャップ本体は、左右方向へ長い楕円形状としており、注出孔１２ａ  付きの小ノズル１２を起立する頂板１３から、図３が示すように容器体口頸部の外面へ嵌合させる内筒１４と該内筒を囲んで外筒１５を垂下し、外筒上端部は図１のように上向き段部１６を介して小外径部１７に形成している。
【００１０】
但し頂板後部は、左右方向への直径と平行に切欠いた形状とし、従って該後部の上向き段部部分は他部よりも巾広に形成させている。
【００１１】
外筒１５の左右両部と、頂板１３の左右両部と、頂板前部と後方上向き段部部分の前部とには、第１、第２、第３窓孔１８、１９、２０を穿設しておく。第２窓孔１９および前方の第３窓孔２０は、図示のようにそれ等窓孔側方の小外径部形成壁と共に切欠くことが望ましい。
【００１２】
２１は蓋体で、該蓋体はキャップ本体１１の後方上部へヒンジ２２を介して連結させている。該ヒンジは弾性反転可能なヒンジで行うとよく、該ヒンジを中心とする回動により蓋体２１はキャップ本体上面へ嵌合可能に形成する。該嵌合時において、頂壁２３外周から垂下する周壁２４下部を小外径筒部１７外面へ嵌合させ、又周壁下端面を上向き段部１６上面へ載置可能にしている。該蓋体もキャップ本体と同様に平面楕円形状としている。
【００１３】
該蓋体は既述小ノズル１２外面へ嵌合させて注出孔１２ａを密閉できる小筒部２５を垂下する。又周壁前部の内面へは、図４が示すように係合板２６を付設し、周壁の左右両部には図３が示すように係止部２７、２７としての透孔ないし凹溝を穿設している。又図４が示すようにヒンジ２２の左右方向中間部上方側の周壁下端部分２８は周壁下端面の他部よりもやや上方に位置させている。
【００１４】
３１は上記外筒１５と内筒１４との間へ遊挿させる弾性の操作筒で、平面楕円形状であり、その左右外面から既述第１窓孔１８、１８内へ嵌入させる押釦３２、３２を、又左右両部上面から第２窓孔１９、１９に挿通させてフック３３、３３を、前後上面から第３窓孔２０、２０に挿通させて押上げ板３４、３４を、それぞれ突出する。後方押下げ板の上端後面へは突部３４ａを付設している。そして図３が示すようにフック上端外面の爪３３ａ、３３ａを既述蓋体周壁左右両部の係止部２７、２７内へ嵌合させる。該操作筒３１は、内外両筒間へ装着された状態で、押釦３２、３２内方押込みにより、内外両筒間で弾性変形可能に形成する。その弾性変形が容易であるように、既述押上げ板３４、３４下方には図２が示すように下面開口の切欠き３５、３５を設けるとよい。  図３が示すように、キャップ本体の内外両筒間へ操作筒３１を装着させた状態で操作筒３１下端面は容器体１のテーパ面５の下部上面へ載置ないし近接させておき、押釦３２，３２  の内方押込みで操作筒３１下端面がテーパ面に沿って上昇可能に設けておく。該図３が示す状態から、押釦３２、３２を内方へ押込むと、操作筒３１は弾性変形してフック３３、３３上端の爪３３ａ、３３ａが係止部２７、２７から外れ、かつ同時に操作筒３１下端面がテーパ面５に沿ってせり上がることで、操作筒３１が上昇し、図４のようにまず前方押上げ板３４が前方の係合板２６下端面を、続いて後方押上げ板３４が既述下端面２８を押上げて、蓋体２１を大きく開蓋させる。ヒンジ２２を弾性反転可能としておくことで、その状態から蓋体が反転するよう設けてもよく、非反転式ヒンジの場合は更に蓋体周壁前部の滑り止め突部２９を利用して大きく開蓋する。
【００１５】
上記押釦３２、３２内方押込み解放により操作筒３１は弾性復帰し、該状態から蓋体前部を押下げれば、蓋体左右両部の下端面が、フックの爪３３ａ、３３ａ上面に設けた斜面を押圧してフックを弾性変形させ、蓋体下端面が上向き段部１６へ接したとき、上記フックの爪３３ａ、３３ａはフックの弾性復元で係止部２７、２７内へ嵌合する。
【００１６】
上記第１実施形態において、後方押上げ板３４および該板を挿通させる上向き段部後方の第３窓孔は必ずしも必要ではなく、省略することも出来る。
【００１７】
図５と図６は第２実施形態を示す、該実施形態は、既述第１実施形態の押釦３２を外筒１５の前後両部から突出させ、押上げ板３４を頂板１３の左右両部から起立させ、又フック３３は頂板１３前部から起立させたものである。そのため第１窓孔１８、１８は外筒１５の前後両部に、第２窓孔１９は頂板１３の前部だけに、又第３窓孔２０、２０は頂板１３の左右両部に穿設し、又操作筒３１は前後両面に押釦３２、３２を有し、前部上面からフック３３を、又左右両部上面から押上げ板３４、３４を起立し、押釦３２、３２を第１窓孔１８、１８から、フック３３を第２窓孔１９から、又押上げ板３４、３４を第３窓孔２０、２０から突出させて該操作筒３１をキャップ本体１１の内外両筒間へ装着させる。
【００１８】
該第２実施形態の場合は、前後の押釦３２、３２内方押込みでフックの爪３３ａが蓋体周壁前部内面の係止部から外れ、同時に第１実施形態の場合と同様、容器体のテーパ面５に沿って操作筒３１がせり上がることで、押上げ板３４、３４が上昇し、蓋体周壁２４左右内面の係合板２６、２６下端面を押上げ、蓋体前部を押上げする。
【００１９】
尚既述各実施形態において、キャップ本体と蓋体とは合成樹脂材で一体成形され、操作筒３１および容器体もそれぞれ合成樹脂材で一体成形させている。
【００２０】
尚既述各実施形態において、注出孔１２ａ  と、該注出孔を密閉する蓋体頂壁の密閉部とは、どのように行ってもよく例えば注出孔１２ａ  を頂板１３に直接穿設し、又蓋体下面から閉塞栓を垂下させて、閉蓋時に密閉され、開蓋により開孔するようにすることが考えられる。
【００２１】
【発明の効果】
本発明は既述構成とするもので、各請求項のようにすることで、押釦３２、３２を内方押込みしない限り開蓋不能であり、よって幼児開蓋による不測の事故を防止でき、請求項１のように形成することで、外筒左右両面へ露出する押釦３２、３２内方押込みで、キャップ本体の内外両筒間へ装着された操作筒３１前部から、キャップ本体頂板の前部へ穿設した第３窓孔２０を通って起立する押上げ板３４が上昇し、キャップ本体上面を閉塞する蓋体２１前部を押上げるから、その開蓋操作は容易である。
【００２２】
請求項２のようにすれば、上記押釦押込み操作で押上げ板３４は蓋体前部を押上げた後に続いて後方の押上げ板が蓋体後部下面を押上げするから蓋体前部を更に高く押上げできる。
【００２３】
請求項３のようにすることで、押釦内方押込みで操作筒左右両部からキャップ本体頂板の左右両部から起立させた左右一対の押上げ板３４、３４が同時に蓋体左右両部を押上げることとなり、開蓋操作が容易となる。
【図面の簡単な説明】
【図１】蓋体開蓋状態で示す、本発明容器の斜視図である。
【図２】本発明容器に使用する蓋体付きキャップと操作筒との分解斜視図である。
【図３】図１容器の断面図である。
【図４】図３の容器の前後方向断面図である。
【図５】第２実施形態で示す、蓋体開蓋状態を示す斜視図である。
【図６】図５容器の前後方向断面図である。
【符号の説明】
１…容器体                        ３…肩部
５…テーパ面              １１…キャップ本体
１２…小ノズル              １２ａ…注出孔
１４…内筒                                １５…外筒
１６…上向き段部                        １７…小外径部
１８…第１窓孔              １９…第２窓孔
２０…第３窓孔              ２１…蓋体
２５…小筒部                ２６…係合板
３１…操作筒                ３２…押釦
３３…フック                ３４…押上げ板
【図１】
2004359239.tif 000003
【図２】
2004359239.tif 000004
【図３】
2004359239.tif 000005
【図４】
2004359239.tif 000006
【図５】
2004359239.tif 000007
【図６】
2004359239.tif 000008